(57)【要約】【課題】画像読取装置では、原稿サイズの自動検知を行っているが、サイズの定まりにくい最大サイズの原稿や、製造誤差の大きい最大サイズの原稿などでは、原稿の端が原稿サイズ検知可能な領域を超えて、原稿サイズの検出ができない場合があった。【解決手段】コンタクトガラス４３と、これを保持して光透過領域を設けるための第２読み取り開口４６を備えた載置台フレーム４２と、原稿読み取りセンサ４１と、原稿押圧シート３７とを有し、光透過領域は、原稿載置面４３ａとここから主走査方向に突出する原稿載置外面４３ｂとを有し、原稿押圧シート３７は原稿載置外面４３ｂと一部が重なるように形成された突出部３７ｂを有し、原稿読み取りセンサ４１は、副走査方向において、少なくとも原稿載置外面４３ｂと突出部３７ｂが重なる検出可能領域（ｄ３〜ｄ０）の範囲内で、媒体サイズ検出を行うための読み取りを行う。【選択図】図８
2018074324.tif 000002
【特許請求の範囲】
【請求項１】
媒体を載置する載置ガラスと、
前記載置ガラスを保持し、前記載置ガラスに光透過領域を設けるための読み取り開口を備えた保持部と、
前記載置ガラスに載置された媒体を、前記載置ガラスを介して読み取る読み取り部と、
前記載置ガラスに対して開閉自在に配置された媒体押え部と
を有し、
前記光透過領域は、
前記媒体が載置される原稿載置領域と、
前記原稿載置領域の、主走査方向と直交する副走査方向における一部の領域において、前記原稿載置領域から前記読み取り部の前記主走査方向に突出する第１の突出領域と
を有し、
前記媒体押え部は、前記第１の突出領域内で前記第１の突出領域と領域が重なるように形成された第２の突出領域を有し、
前記読み取り部は、前記副走査方向において、少なくとも前記第１の突出領域と前記第２の突出領域が重なる第１の領域の範囲内で、媒体サイズ検出を行うための読み取りを行うことを特徴とする画像読取装置。
【請求項２】
前記保持部は、方形状に形成した前記原稿載置領域の、前記第１の突出領域に接する辺に相当する開口の縁に、前記載置ガラスとの間に前記媒体の移動を規制する規制部を設けたことを特徴とする請求項１記載の画像読取装置。
【請求項３】
前記保持部は、方形状に形成した前記原稿載置領域の、前記規制部と対向する辺に相当する開口の縁に、前記載置ガラスとの間に前記媒体を位置決めするための第１のガイド部を備え、方形状に形成した前記原稿載置領域の、前記規制部と直交する辺に相当する開口の縁に、前記載置ガラスとの間に前記媒体を位置決めするための第２のガイド部を備えたことを特徴とする請求項２記載の画像読取装置。
【請求項４】
前記読み取り部は、前記副走査方向に移動可能に保持され、前記副走査方向において、前記第２のガイド部側の、前記原稿載置領域外に待機位置を備えたことを特徴とする請求項３に記載の画像読取装置。
【請求項５】
前記第１の突出領域は、前記原稿載置領域の、前記副走査方向における前記待機位置側の端部に形成されていることを特徴とする請求項４記載の画像読取装置。
【請求項６】
前記読み取り部が、前記副走査方向における、前記第１の領域の範囲で読み取った読み取りデータの内、前記第１の域内の更に第１の特定領域の範囲内の読み取りデータを基に媒体サイズ検出を行う媒体検出部を有することを特徴とする請求項３記載の画像読取装置。
【請求項７】
前記第２のガイド部からの前記副走査方向の第１の距離をｄｓとし、前記第２のガイド部からの前記副走査方向の第２の距離をｄｅとしたとき、前記第１の特定領域との関係が、
ｄｅ＜第１の特定領域＜ｄｓ
となるように構成したことを特徴とする請求項６記載の画像読取装置。
【請求項８】
第１の距離ｄｓをＡ４サイズ、又はＡ５サイズの媒体の短辺の長さとしたことを特徴とする請求項７記載の画像読取装置。
【請求項９】
前記媒体検出部は、前記読み取り部が、前記主走査方向における第２の特定領域の範囲内で読み取った読み取りデータを基に媒体サイズ検出を行うことを特徴とする請求項６から８までの何れか１項に記載の画像読取装置。
【請求項１０】
第２の特定領域の、前記第２の突出領域側の端部が、前記第１の突出領域と前記第２の突出領域が重なる位置であることを特徴とする請求項９記載の画像読取装置。
【請求項１１】
綴じ部材にてとじられた媒体を、前記綴じ部材を前記第２のガイド側にして前記載置ガラス上に載置し、前記媒体押え部で押えた際に、載置ガラスと前記押え部とが離間する、前記第２のガイド部からの最大距離を前記第２の距離としたことを特徴とする請求項７又は８に記載の画像読取装置。
【請求項１２】
前記媒体押え部は、弾性部材を介して押圧板本体に保持され、少なくとも前記第２の突出領域では全領域で弾性部材が介在することを特徴とする請求項１から１１までの何れか１項に記載の画像読取装置。
【請求項１３】
請求項１乃至１２の何れかの画像読取装置を備えたことを特徴とする画像形成装置。
【発明の詳細な説明】
【技術分野】
【０００１】
本発明は、原稿の画像を読み取る画像読取装置、及びこの画像読取装置を備えた画像形成装置に関する。
【背景技術】
【０００２】
従来、複写機、スキャナ等の画像読取装置は、原稿を読み取らせるために原稿を密着して載置するためのコンタクトガラスを有する原稿置台、コンタクトガラスの下側に配置される画像読取りユニット、白色の原稿押圧シートを備えた原稿押圧部等を備え（例えば、特許文献１参照）、原稿の読み取りと共に、原稿サイズの自動検知を行っている。
【先行技術文献】
【特許文献】
【０００３】
【特許文献１】特開２００９−１８２９４９号公報（第７頁、図４）
【発明の概要】
【発明が解決しようとする課題】
【０００４】
コンタクトガラスの光透過領域の制限を受けない場合、最大サイズの原稿の原稿サイズを検知するには、原稿サイズ検知可能な領域の端が、原稿押圧シート端と載置された最大サイズの原稿の端との間にあればよい。しかし、実際には装置のサイズによって光透過領域が定まり、これに応じて原稿押圧シート端の位置が制約を受けるため、原稿押圧シート端と最大サイズ原稿の端と距離を十分に確保することが難しく、定形サイズの冊子やノートなどの開くとサイズの定まりにくい最大サイズの原稿や、製造誤差の大きい最大サイズの原稿などでは、原稿の端が原稿サイズ検知可能な領域を超えて、原稿サイズの検出ができない場合があった。
【課題を解決するための手段】
【０００５】
本発明の画像読取装置は、媒体を載置する載置ガラスと、前記載置ガラスを保持し、前記載置ガラスに光透過領域を設けるための読み取り開口を備えた保持部と、前記載置ガラスに載置された媒体を、前記載置ガラスを介して読み取る読み取り部と、前記載置ガラスに対して開閉自在に配置された媒体押え部とを有し、
前記光透過領域は、前記媒体が載置される原稿載置領域と、前記原稿載置領域の、主走査方向と直交する副走査方向における一部の領域において、前記原稿載置領域から前記読み取り部の前記主走査方向に突出する第１の突出領域とを有し、
前記媒体押え部は、前記第１の突出領域内で前記第１の突出領域と領域が重なるように形成された第２の突出領域を有し、
前記読み取り部は、前記副走査方向において、少なくとも前記第１の突出領域と前記第２の突出領域が重なる第１の領域の範囲内で、媒体サイズ検出を行うための読み取りを行うことを特徴とする。
【発明の効果】
【０００６】
本発明によれば、原稿載置領域とは別の領域から原稿サイズ判定のための読み取りを行うことができるため、原稿の端が原稿サイズ検知可能な領域を超えて原稿サイズの検出ができなくなるのを防止することが可能となる。
【図面の簡単な説明】
【０００７】
【図１】図１は、本発明による実施の形態１の画像形成装置の外観斜視図である。
【図２】図１において、点線Ｌで囲んだ部分の部分拡大図である。
【図３】図１における画像読取部のみを右側（Ｙ軸のプラス方向）からみた要部構成図である。
【図４】図３に示す画像読取部において、開閉ユニットが閉位置にあるときの状態を示す要部構成図である。
【図５】（ａ）は、図４において、点線Ｍで囲んだ部分の部分拡大図であり、（ｂ）は、図４において、点線Ｎで囲んだ部分の部分拡大図である。
【図６】開閉ユニットが閉位置にあるときの、コンタクトガラスの原稿載置面と、原稿押圧シートと、スポンジ材の配置関係及び各部の寸法を示す寸法平面図である。
【図７】主に本発明に係る、画像読取部の原稿サイズ読み取り動作の駆動制御系の要部構成を示すブロック図である。
【図８】画像読取部の原稿サイズ読み取り動作の説明に供する図である。
【図９】副走査方向における第３検出領域Ａｄの範囲設定の説明に供する図である。
【図１０】クリップで綴じられた、束になったＡ４原稿６０の説明に供する図である。
【図１１】（ａ）は、本実施の形態の引込み凹部及び原稿押圧シートの突出部の形成例を示し、同図（ｂ）〜同図（ｄ）は、その変形例を示す図である。
【発明を実施するための形態】
【０００８】
実施の形態１．
図１は、本発明による実施の形態１の画像形成装置１の外観斜視図であり、図２は図１において、点線Ｌで囲んだ部分の部分拡大図である。尚、図１では、開閉ユニット２２が後述する開位置にあるときの状態を示している。
【０００９】
図１に示すように、画像形成装置１は、画像形成部１１、画像形成部１１の上方に配置された画像読み取り部１２、及び左右の支持部１３Ｌ，１３Ｒによって画像形成部１１を跨ぐように配置されて、画像形成部１１の上方で画像読み取り部１２を保持し、画像形成部１１と画像読み取り部１２を一体的に結合する本体フレーム１３を備える。
以後、画像形成装置１を、正面（図１の矢印Ａ方向）からみて、画像形成装置１の上下左右前後の方向を特定する場合がある。
【００１０】
画像読み取り部１２は、フラットベッドユニット２１と、このフラットベッドユニット２１に回動自在に保持された開閉ユニット２２と、フラットベッドユニット２１の前端部に配置された操作部２３を備え、開閉ユニット２２は、原稿押圧基体３１と原稿押圧基体３１に保持されたＡＤＦ（ａｕｔｏ  ｄｏｃｕｍｅｎｔ  ｆｅｅｄｅｒ：自動原稿搬送装置）３２を備え、原稿押圧基体３１は、押圧板本体３５、押圧板本体３５の下面に固定された弾性部材としてのスポンジ材３６、及びスポンジ材３６の下面に接合された媒体押さえ部としての原稿押圧シート３７を備える。
【００１１】
フラットベッドユニット２１は、後述するようにその内空間部に配置された読み取り部としての原稿読み取りセンサ４１（図３）と、筐体或はその一部であって、上平面に第１読み取り開口４５と第２読み取り開口４６が形成された保持部としての載置台フレーム４２と、読み取り開口としての第２読み取り開口４６を内側から覆うように載置台フレーム４２の下面に取り付けられた載置ガラスとしのコンタクトガラス４３（図３）を備える。
【００１２】
媒体としての原稿６０（図５）は、コンタクトガラス４３の面上に載置されるが、ここでは後述するように、最大Ａ３の原稿６０を横長（横置き）に載置して読み取ることを想定しているため、第２読み取り開口４６は、概ね横長の方形状に形成され、コンタクトガラス４３の面上にＡ３の読み取り原稿６０を載置できるように形成されている。
【００１３】
載置台フレーム４２の後側の両端部近傍には、開閉ユニット２２を回動自在に軸支するための左右の支持部４２Ｌ，４２Ｒが配設されて、その回動軸中心線が第２読み取り開口４６の長手方向となるように、開閉ユニット２２を軸支している。
【００１４】
尚、図１中のＸ、Ｙ、Ｚの各軸は、開閉ユニット２２の回動軸方向にＹ軸をとり、このＹ軸と直交し、コンタクトガラス４３の面と平行な方向にＸ軸をとり、これら両軸と直交する方向にＺ軸をとっている。また、後述する他の図においてＸ、Ｙ、Ｚの各軸が示される場合、これらの軸方向は、共通する方向を示すものとする。即ち、各図のＸＹＺ軸は、各図の描写部分が、図１に示す画像形成装置１を構成する際の配置方向を示している。またここでは、Ｚ軸が略鉛直方向となるように配置されるものとする。
【００１５】
図３は、図１における画像読み取り部１２のみを右側（Ｙ軸のプラス方向）からみた要部構成図であり、図４は、同じく要部構成図において、開閉ユニット２２が後述する閉位置にあるときの状態を示している。但し、図３、図４においては、簡単のためＡＤＦ３２を省いて示している。また図５（ａ）は、図４において、点線Ｍで囲んだ部分の部分拡大図であり、図５（ｂ）は、図４において、点線Ｎで囲んだ部分の部分拡大図である。尚、図５（ａ）は、便宜上、引込み凹部５５（図１）の領域での断面図を示している。
【００１６】
これらの図に示すように、フラットベッドユニット２１の内部には、Ｘ軸方向に延在する原稿読み取りセンサ４１が配置されている。この原稿読み取りセンサ４１は、その下にＹ軸方向に延在して配置された支持ガイド４４によって、Ｙ軸方向（副走査方向）にスライド可能に保持され、更にその両端部に配設されたガイド突起４１ｃ，４１ｄ（図４）が、コンタクトガラス４３の下面に当接してスライド時の姿勢を保っている。
【００１７】
原稿読み取りセンサ４１は、その上部に、Ｘ軸方向（主走査方向）に配列された発光素子と受光素子によって、例えばコンタクトガラス４３上に載置された原稿６０の画像を主走査方向において１ライン毎に読み込むセンサ部４１ａ（図４）を備える。
【００１８】
原稿６０は、第２読み取り開口４６を占めるコンタクトガラス４３上に、読み取り面を下側にしてセットされるが、載置台フレーム４２の第２読み取り開口４６には、このときのセット位置をガイドするための位置決めガイドが形成されている。
【００１９】
即ち、第２読み取り開口４６の後側長辺部には、図５（ｂ）に示すように、コンタクトガラス４３の上面に対して略垂直に形成された当接部を有する第１のガイド部としての第１の位置決めガイド５１が形成され、同じく第２読み取り開口４６の左側短辺部には、同じくコンタクトガラス４３の上面に対して略垂直に形成された当接部を有する第２のガイド部としての第２の位置決めガイド５２（図１参照）が形成されている。
【００２０】
載置台フレーム４２の第２読み取り開口４６の前側長辺部及び右側短辺部には、コンタクトガラス４３の上面との間に、淵となる規制部としての第１の段部５３及び第２の段部５４がそれぞれ形成される。尚、第１の段部５３及び第２の段部５４は、コンタクトガラス４３上に載置された原稿６０のずれを規制し、特に第１の段部５３は、後述するように、原稿６０が、原稿載置面４３ａから第１の段部５３を越えて手前に移動するのを規制する。
【００２１】
載置台フレーム４２の第２読み取り開口４６の前側長辺部には、第１の段部５３から手前方向（Ｘ軸プラス方向）に引っ込んだ引込み凹部５５が形成されている。この引込み凹部５５は、前側長辺部の、左側（第２の位置決めガイド５２側）端部において、第１の段部５３を切り欠いたように形成され、この部分においてコンタクトガラス４３の光透過領域を広げている。
【００２２】
また、第２読み取り開口４６の、原稿６０を載置可能なコンタクトガラス４３の長方形領域を、以後、原稿載置領域としての原稿載置面４３ａと称す場合がある。従って、この原稿載置面４３ａには、引込み凹部５５によって広がったコンタクトガラス４３の光透過領域である第１の突出領域としての原稿載置外面４３ｂは含まない。また、原稿載置面４３ａと原稿載置外面４３ｂの境界を、境界線（点線）Ｂ１（図１など）で示す。
【００２３】
従って操作者は、原稿６０をコンタクトガラス４３上にセットする際に、原稿６０の後側及び左側の各辺を、それぞれ載置台フレーム４２の第１の位置決めガイド５１及び第２の位置決めガイド５２に当接させて位置決めする。
【００２４】
一方、開閉ユニット２２の押圧板本体３５は、開閉ユニット２２が閉位置にあるとき、コンタクトガラス４３に対向する位置に原稿押圧シート３７を配置し、この原稿押圧シート３７を、スポンジ材３６を介して押圧板本体３５に固定している。従って、図４に示すように、開閉ユニット２２が閉位置にあるとき、コンタクトガラス４３の原稿載置面４３ａにセットされた原稿６０（図５）は、開閉ユニット２２の自重、スポンジ材３６の弾性等により、原稿押圧シート３７によって原稿載置面４３ａに略一様に付勢され、コンタクトガラス４３に密着した状態となる。
【００２５】
支持部４２Ｌ，４２Ｒの近傍には、開閉ユニット２２が、図３に示す開位置にあるときと図４に示す閉位置にあるときをそれぞれ検出する開閉検出器１０３（図７のみに示す）が配置されている。
【００２６】
図６は、開閉ユニット２２が閉位置にあるときの、第２読み取り開口４６を占めるコンタクトガラス４３の光透過領域（原稿載置面４３ａ＋原稿載置外面４３ｂ）と、原稿押圧シート３７と、スポンジ材３６の配置関係及び各部の寸法を示す寸法平面図である。尚、同図において、第１読み取り開口４５（図１）は省いている。
【００２７】
同図に示すように、スポンジ材３６と原稿押圧シート３７とは、上方（Ｚ軸プラス側）からみた外形が同一となるように形成され、第２読み取り開口４６を占めるコンタクトガラス４３の光透過領域（原稿載置面４３ａ＋原稿載置外面４３ｂ）に対して略相似形でより小さく、且つその開口部からはみ出さないようにその形状及び取り付け位置が決められている。
【００２８】
従ってここでは、原稿押圧シート３７を例にして更にその形状について説明する。原稿押圧シート３７は、長方形状の原稿押圧部３７ａと第２の突出領域としての突出部３７ｂとからなり、突出部３７ｂは、第２読み取り開口４６の引込み凹部５５によって出現したコンタクトガラス４３の原稿載置外面４３ｂに対向する位置に形成されている。尚、原稿押圧部３７ａと突出部３７ｂの境界を、境界線（点線）Ｂ２（図６など）で示す。
【００２９】
ここで、第２読み取り開口４６を占めるコンタクトガラス４３の光透過領域（原稿載置面４３ａ＋原稿載置外面４３ｂ）の形状（第２読み取り開口４６の開口形状に相当）、スポンジ材３６及び原稿押圧シート３７の各部の寸法例について説明する。
【００３０】
前記したように、画像読み取り部１２は、第２読み取り開口４６を占めるコンタクトガラス４３の原稿載置面４３ａに、最大Ａ３の読み取り原稿６０を横長（横置き）に載置して読み取ることを想定している。このため、原稿載置面４３ａの
短手方向の長さａを３０１ｍｍ、
長手方向の長さｂを４３５．８ｍｍ
とし、
原稿載置外面４３ｂの
引込み幅ｃを６．５ｍｍ
先端部幅ｄを７０ｍｍ
引込み凹部５５の、第２の位置決めガイド５２側とは反対側の端部に形成された面取り部の長手方向における幅ｅを６．５ｍｍ
とした。
更に、原稿押圧シート３７の突出部３７ｂを除く原稿押圧部３７ａの
短手方向の長さｇを２９９．５ｍｍ、
長手方向の長さｈを４３３ｍｍ
とし、
原稿押圧シート３７の
長手方向における原稿載置面端部との間隙ｉを１．４ｍｍ
とし、
突出部３７ｂを除く原稿押圧シート３７の
短手方向における原稿載置面端部との間隙ｊを０．７５ｍｍ
とし、
更に原稿押圧シート３７の突出部３７ｂの
突出幅ｋを３．７５ｍｍとし、
先端部の幅ｍを５９．１ｍｍとし、
突出部３７ｂの、第２の位置決めガイド５２側とは反対側の端部に形成された面取り部の長手方向における幅ｎを４ｍｍとした。
尚、スポンジ材３６は、原稿押圧シート３７と全く同じ外形寸法を有し、同位置に配置されるものである。
【００３１】
従って、原稿押圧シート３７の突出部３７ｂは、開閉ユニット２２が閉位置にあるとき、少なくとも幅（５９．１）ｍｍにわたって、大部分がコンタクトガラス４３の原稿載置面４３ａからはみ出し、原稿載置外面４３ｂの領域に当接する。図５（ａ）は、Ａ４の原稿６０を縦置きにして、開閉ユニット２２を閉じたときの引込み凹部５５の領域での断面図であるが、同図に示すように、原稿押圧シート３７は、原稿押圧部３７ａで原稿６０を押圧し、原稿載置面４３ａから原稿載置外面４３ｂに対向する領域では、コンタクトガラス４３に密着した状態となる。
【００３２】
フラットベッドユニット２１の内部には、図６に示す副走査方向（Ｙ軸方向）において異なる位置に第１用紙センサ４８と第２用紙センサ４９を配置し、後述するように、コンタクトガラス４３上に載置された原稿６０が横置き（ここでは主走査方向（Ｘ軸方向）が短辺となる配置）か、或いは縦置き（ここでは主走査方向（Ｘ軸方向）が長辺となる配置）か、を判断する。
【００３３】
図７は、主に本発明に係る、画像読み取り部１２の原稿サイズ読み取り動作の駆動制御系の要部構成を示すブロック図であり、図８は、画像読み取り部１２の原稿サイズ読み取り動作の説明に供する図である。
【００３４】
同図中、開閉検出器１０３は、開閉ユニット２２が、図３に示す開位置にあるときと、図４に示す閉位置にあるときを検出し、各状態を示す開閉検出情報を制御部１００に送信する。第１用紙センサ４８及び第２用紙センサ４９は、図６に示すようにコンタクトガラス４３の原稿載置面４３ａの領域内の副走査方向（Ｙ軸方向）において異なる位置に配置され、各位置で原稿を検出したか否かの情報を個別に制御部１００に送信する。
【００３５】
媒体検出部としての制御部１００は、マイクロプロセッサ、ＲＯＭ、ＲＡＭ、入出力ポート、タイマ等によって構成され、開閉検出器１０３からの開閉ユニット２２の開閉情報、第１と第２の各用紙センサ４８，４９からの原稿検出情報等を受信し、画像読み取り部１２全体をシーケンス制御し、原稿サイズを読み取る動作を実行する。
【００３６】
センサ駆動部１０１は、制御部１００からの指示に従って、原稿読み取りセンサ４１の、副走査方向移動、及びセンサ部４１ａによる主走査方向でのデータ読み取りを実行する。原稿読み取りセンサ４１は、読み取った読み取り画像データを制御部１００に送信する。
【００３７】
図８を参照しながら、制御部１００による原稿サイズの読み取り方法について更に説明する。
【００３８】
図８は、読み取り原稿６０を所定位置にセットして、開閉ユニット２２を閉じた状態における第２の位置決めガイド５２近傍での、コンタクトガラス４３の原稿載置面４３ａ及び原稿載置外面４３ｂ、原稿６０、原稿押圧シート３７、スポンジ材３６、及び原稿読み取りセンサ４１の、各位置関係を概略的に示す平面図である。
【００３９】
尚、第１読み取り開口４５（図１）は、ＡＤＦ３２によって搬送される原稿を、原稿読み取りセンサ４１が読み取るための開口であるが、これらの構成及び動作は、本願発明と直接関係しないため、ここでの説明を省略し、図８において、この第１読み取り開口４５（図１）は省いている。
【００４０】
同図において、副走査方向（Ｙ軸方向）にスライド移動する原稿読み取りセンサ４１は、第２読み取り開口４６外の、フラットベッドユニット２１（図１）の左側端部近傍の待機位置としてのホームポジションＰｈに位置している。尚、ここでのホームポジションＰｈは、主走査方向（Ｘ軸方向）において１ラインを読み込む、原稿読み取りセンサ４１のセンサ部４１ａの副走査方向での位置を示している。以下同様に、原稿読み取りセンサ４１の副走査方向での位置を示すとき、このセンサ部４１ａの位置を示す。
【００４１】
また、距離ｗ１は、第１の位置決めガイド５１からの、原稿押圧シート３７の原稿押圧部３７ａの手前側端部の距離を示し、距離ｗ２は、第１の位置決めガイド５１からの、載置される原稿６０の手前側端部までの距離を示し、距離ｗ３は、第１の位置決めガイド５１からの、第１の段部５３の距離（コンタクトガラス４３の原稿載置面４３ａの短手方向の長さａに相当）を示し、距離ｗ５は、第１の位置決めガイド５１からの、原稿押圧シート３７の突出部３７ｂの手前側端部までの距離を示す。
【００４２】
更に、距離ｗ４（例えば３０２．４ｍｍ）は、後述する、縦置きされたＡ４サイズの原稿６０を検出するための第１検出領域Ａｗの手前側端部の、第１の位置決めガイド５１からの距離を示し、距離ｗ０（例えば２６２．６ｍｍ）は、同じく後述する、縦置きされたＢ５サイズの原稿を検出するための第２検出領域Ｂｗの手前側端部の、第１の位置決めガイド５１からの距離を示す。
【００４３】
操作者は、原稿６０をコンタクトガラス４３の原稿載置面４３ａにセットする際に、先ず開閉ユニット２２（図１）を開位置まで回動し、用意した原稿６０を第１の位置決めガイド５１及び第２の位置決めガイド５２に、それぞれ対向する辺を突き当て位置決めしてセットする。
【００４４】
従って、制御部１００は、開閉検出器１０３から受信する開閉検出情報、及び第１と第２の各用紙センサ４８，４９からの原稿検出情報を監視し、原稿６０がセットされていない状態で開閉ユニット２２（図１）が開位置にあることを検知すると、これから原稿６０がセットされるものと判断し、原稿読み取りセンサ４１を読み取り移動開始位置Ｐｓまで移動するようセンサ駆動部１０１に指示し、センサ駆動部１０１は、この指示を受けて原稿読み取りセンサ４１を、ホームポジションＰｈから読み取り移動開始位置Ｐｓまで移動する。
【００４５】
次に、制御部１００は、原稿６０がコンタクトガラス４３の原稿載置面４３ａにセットされた状態で開閉ユニット２２（図１）が閉じられたことを検知すると、セットされた原稿６０のサイズの読み取りを開始する。
【００４６】
先ず、制御部１００は、センサ駆動部１０１を介して、原稿読み取りセンサ４１を制御し、読み取り移動開始位置ＰｓからホームポジションＰｈに向けて副走査方向に移動しながら、センサ部４１ａにより逐次主走査方向を走査し、図８に二点鎖線の囲み線で示す読取領域Ｖｅの画像を読み取り、原稿読み取りセンサ４１から受信する読み取り画像データをＲＡＭ等の記憶手段に一旦記憶する。
【００４７】
制御部１００は、その後のソフト処理により、読取領域Ｖｅの画像情報をもとに、図８に示す主走査方向の第２の特定領域としての第１検出領域Ａｗ及び第２検出領域Ｂｗ、且つ後述する副走査方向の第１の特定領域としての第３検出領域Ａｄ（ここではｄ１〜ｄ０までの領域）において、第１の位置決めガイド５１に向かう（矢印Ｃ方向）主走査方向の同一ライン上の位置に該当する画像データを逐次読み出して、原稿６０の手前側端部を検出するライン走査を行い、第１の位置決めガイド５１からの距離ｗ２、即ち原稿６０の主走査方向のサイズを検出する。このライン走査は、副走査方向の複数箇所で行って、それぞれ検出された距離ｗ１の平均を算出することも可能である。
【００４８】
原稿６０の手前側端部の検出は、例えば背景の原稿押圧シート３７と原稿６０の手前側端部との間に生じる影を判定して行う。このため、原稿の画像データと混同をさけるため、第１検出領域Ａｗ又は第２検出領域Ｂｗにおいて、一番手前側で検出された初検出の影を原稿６０の手前側のエッジとして判定する。この場合、第１検出領域Ａｗで初検出の影が検出された場合には原稿６０がＡ４縦置き原稿と判定し、第２検出領域Ｂｗ（その幅は例えば４１．４ｍｍ）で初検出の影が検出された場合には原稿６０がＢ５縦置き原稿と判定する。
【００４９】
またここでは、原稿サイズ読み取りを開始するための読み取り移動開始位置Ｐｓの、第２の位置決めガイド５２からの距離ｄ１を、突出部３７ｂの先端部右端の第２の位置決めガイド５２からの距離ｄ２より短く、第２の位置決めガイド５２から原稿押圧シート３７の端部までの距離ｄ０より長い領域、即ち
ｄ２＞ｄ１＞ｄ０    ・・・（１−１）
に設定し、
前記した第１の位置決めガイド５１から各部の距離ｗ１〜ｗ５は、ここでは
ｗ５＞ｗ４＞ｗ３＞ｗ２    ・・・（２−１）
の関係を満たしている。
更に、第１検出領域Ａｗの範囲にＡ４サイズの原稿６０の手前側端部が収まる必要があるため、ここでは
ｗ２＞ｗ４−ｗａ（第１検出領域Ａｗの幅、例えば１７．８ｍｍ）
・・・（２−２）
の関係を満たす必要がある。
【００５０】
尚、原理的には、読み取り移動開始位置Ｐｓの、第２の位置決めガイド５２からの距離ｄ１は、原稿押圧シート３７の突出部３７ｂが第１の段部５３の延長線上を超える第２の位置決めガイド５２からの距離ｄ３より短く
ｄ３＞ｄ１＞ｄ０    ・・・（１−２）
であればよいが、この場合、距離ｄ３〜ｄ２までの間、距離ｗ４の最大値も、距離ｄ１の位置に応じて距離ｗ３〜ｗ５まで変化する。尚、距離ｄ３〜距離ｄ０までの範囲が第１の領域に相当する。
【００５１】
副走査方向の第１の特定領域としての第３検出領域Ａｄの設定について更に考察する。図９は、副走査方向における第３検出領域Ａｄの範囲設定の説明に供する図であり、図１０は、クリップ１１０で綴じられた、束になったＡ４原稿６０の説明に供する図である。
【００５２】
図９において、二点鎖線の外形線７０は、Ａ４の原稿を縦長にセットしたときの外形線であり、二点鎖線の外形線７１は、Ｂ５の原稿を縦長にセットしたときの外形線である。一方、図１０に示すように、複数枚のＡ４の原稿６０を重ね、クリップ１１０やホチキス等の綴じ部材によって短辺の一端部を綴じた原稿がある。このように綴じた原稿の、例えば上から数枚目の原稿６０をコピーする場合、その上の原稿を、折り目６０ａ辺りで捲りあげ、現れた複写面を、図９に示す原稿載置面４３ａに対向させて、二点鎖線の外形線７０の位置にセットする。尚、ここでは、クリップ１１０を第２の位置決めガイド５２に対向させてセットした場合について考察する。
【００５３】
図９の密着目安線７０ａは、折り目６０ａに対向して生じる、原稿６０の複写面と原稿載置面４３ａとの密着、非密着の境を便宜的に示す線である。同条件で複写するＢ５の原稿の場合も同様の密着目安線７１ａが生じる。尚、この密着目安線７０ａ，７１ａの位置は、綴じ部材の種類、原稿の種類、種々の条件等で変化するものである。
【００５４】
この密着目安線７０ａの右側端部の、第２の位置決めガイド５２からの距離をｄｅとし、縦長にセットされたＢ５原稿の短手方向のサイズをｄｓ（例えば１８２ｍｍ）としたとき、副走査方向の第３検出領域Ａｄが、距離ｄｓ〜距離ｄｅの範囲に存在することが必要となる。ここでは、用紙サイズＢ５の縦置き原稿までサイズ検出することを想定して距離ｄｓを定めたが、例えばＡ５の縦置き原稿などの、サイズ検出する原稿の最小サイズが異なる場合は、それに応じて距離ｄｓを適宜設定するものである。
【００５５】
尚、本実施例での各部の寸法例として、原稿載置外面４３ｂにおいて、引込み幅ｃ＝６．５ｍｍ、先端部幅ｄ＝７０ｍｍとする例を示したが、これに限定されるものではなく、引込み幅ｃについては３ｍｍから２０ｍｍの範囲に設定するのが良い。また、先端部幅ｄは、３１．５ｍｍから１４７ｍｍ（Ａ４短手方向長さ２１０ｍｍの１５％から７０％）、より好ましくは、４２ｍｍから１０５ｍｍ（Ａ４短手方向長さ２１０ｍｍの２０％から５０％）の範囲内に設定するのが好ましい。このとき、対応する突出部３７ｂの、突出幅ｋ及び先端部の幅ｍについては、間隙ｉ及び間隙ｊがそれぞれ０．５ｍｍから２ｍｍの間に収まるように設定されればよい。
【００５６】
第３検出領域Ａｄは、前記したように、制御部１００が、ソフト処理により、読取領域Ｖｅの画像情報をもとに原稿６０のサイズ判定を行うための、副走査方向において利用する画像データ範囲を示す。従って第３検出領域Ａｄがもし、距離ｄｓ以上に存在した場合には縦置きにセットされたＢ５の原稿を検出できない場合が生じ、距離ｄｅ以下に存在した場合には綴じられてセットされた原稿を検出できない場合が生じる。また第３検出領域Ａｄは、ソフト処理に応じてその幅が変化するもので、１ラインの画像データのみでサイズ判定する場合は、１ライン分の幅となり、複数ラインの画像データを利用する場合は、利用するラインを含む幅となる。
【００５７】
図１１は、距離ｄｓ〜距離ｄｅの範囲に、第３検出領域Ａｄを確保するため、載置台フレーム４２（図９）に形成される引込み凹部５５と、これに対向して原稿押圧シート３７に形成される突出部３７ｂとの形成例を示す図である。同図（ａ）は、本実施の形態の引込み凹部５５及び原稿押圧シート３７の突出部３７ｂの形成例を示し、同図（ｂ）〜（ｄ）は、その変形例を示す図である。また図１１において、スポンジ材３６（図６）は、原稿押圧シート３７と同一の外形を有するように形成されるものである。
【００５８】
同図（ａ）は、例えば図９に示すように、引込み凹部５５を第２読み取り開口４６の左端部に形成し、同様に突出部３７ｂを原稿押圧シート３７の左端部に形成した例を示す。この場合、第３検出領域Ａｄを、距離ｄ２（図８）と距離ｄｅとの間の一部或は全部に設定することができる。
【００５９】
同図（ｂ）は、原稿押圧シート３７の突出部３７ｂの先端部の幅領域が、距離ｄｓ〜距離ｄｅの範囲と一致、或はこの範囲を含むように形成した場合を示す。この場合、第３検出領域Ａｄを、距離ｄｓと距離ｄｅとの間の一部或は全部に設定することができる。
【００６０】
同図（ｃ）は、原稿押圧シート３７の突出部３７ｂの先端部の幅領域が、距離ｄｓ〜距離ｄｅの範囲内に収まるように形成した場合を示す。この場合、第３検出領域Ａｄを、突出部３７ｂの先端部の幅内の一部或は全部に設定することができる。
【００６１】
同図（ｄ）は、原稿押圧シート３７の突出部３７ｂの先端部の幅領域が、距離ｄｓを跨ぐように形成した場合を示す。この場合、突出部３７ｂの先端部左端の、第２の位置決めガイド５２からの距離をｄ９としたき、第３検出領域Ａｄを、距離ｄｓと距離ｄ９との間の一部或は全部に設定することができる。
【００６２】
また、図８に示す読取領域Ｖｅは、少なくとも、図１１で説明した第３検出領域Ａｄと、第１検出領域Ａｗ又は第２検出領域Ｂｗとで限定される領域において、画像の読み取りが行われるように設定されなければならない。
【００６３】
尚、同図（ａ）の構成によれば、同図（ｂ）〜（ｄ）の構成に比べ、読み取り移動開始位置ＰｓをホームポジションＰｈに近い位置に設定できるため、原稿サイズの読み取り動作の速度アップを図る場合には有利と言える。
【００６４】
制御部１００は、検出した距離ｗ２と、第１用紙センサ４８と第２用紙センサ４９からの原稿検出情報により、コンタクトガラス４３の原稿載置面４３ａにセットされた原稿の用紙サイズと配置方向を特定する。
【００６５】
例えば、距離ｗ２が２９７ｍｍで、第１用紙センサ４８と第２用紙センサ４９が共に用紙を検出した場合、セットされた原稿がＡ３の用紙で、横置きであると判断し、距離ｗ２が２９７ｍｍで、第１用紙センサ４８のみが用紙を検出した場合、セットされた原稿がＡ４の用紙で、縦置きであると判断する。同様にして、例えば用紙サイズＢ５（縦・横）、Ａ４（縦・横）、Ｂ４（横）、Ａ３（横）の判別が可能である。
【００６６】
尚、本実施の形態では、原稿サイズ読み取り動作の過程で、図８に二点鎖線の囲み線で示す読取領域Ｖｅの画像を読み取って記憶手段に一旦記憶し、その後、記憶した画像データを基に原稿の用紙サイズを求める方法を示したが、これに限定されるものではなく、例えば、図８に示す第１検出領域Ａｗ及び第２検出領域Ｂｗと図１１に示す第３検出領域Ａｄを満たす検出領域において、図８に矢印Ｃで示す第１の位置決めガイド５１に向かう主走査方向の同一ライン上の画像データを直接解析して、原稿６０の手前側端部を検出するようにしてもよい。
【００６７】
また、本実施の形態では、開閉ユニット２２を、載置台フレーム４２の後側で副走査方向に延在する回動軸中心に回動するように構成したが、開閉ユニット２２の右側或は左側の端部で、主走査方向に延在する回動軸中心に回動するように構成してもよいなど、種々の態様を取り得るものである。
【００６８】
以上のように、本実施の形態の画像読み取り部１２によれば、図８に示すように、第１の段部５３から手前に突出する引込み凹部５５（図６）を形成することによって、コンタクトガラス４３に原稿載置外面４３ｂが生成され、この原稿載置外面４３ｂと重なるように、原稿押圧シート３７の突出部３７ｂが形成されているため、第１検出領域Ａｗの手前側端部を第１の段部５３を越えて手前側に、最大、距離ｗ５の位置まで設定できる。
【００６９】
このため、原稿載置面４３ａにセットされた原稿６０が、最悪、第１の段部５３まで手前側にずれてセットされたような場合でも原稿サイズを検出することが可能となる。尚、原稿６０は、第１の段部５３で位置規制されるため、第１の段部５３より手前に移動することはない。
【００７０】
因みに、原稿載置外面４３ｂ及び原稿押圧シート３７の突出部３７ｂが形成されていない場合、原稿押圧シート３７の原稿押圧部３７ａの手前側端部の、第１の位置決めガイド５１からの距離ｗ１が主走査方向における用紙検出可能領域となるため、主走査方向における用紙検出可能領域が限定され、場合によっては検出不可能となる。
【００７１】
従って、本実施の形態の画像読み取り部１２によれば、原稿載置面４３ａの、主走査方向の領域を越えて、用紙検出可能領域を広げることができるため、原稿が原稿載置面４３ａの主走査方向の端部までずれてセットされた場合にも用紙サイズ判定が可能となる。また載置台フレームの外形を変えない範囲で、引込み凹部５５を形成できるため、装置のコンパクト化にも貢献できる。
【００７２】
また、図５（ａ）に示すように、原稿押圧シート３７の突出部３７ｂは、同外形に形成されたスポンジ材３６によって押圧されるため、原稿が、例え第１の段部５３の位置までずれたとしても、原稿載置外面４３ｂから浮き上がることなく密着されるため、画像読み取り時の誤検出を防止できる。
【００７３】
また、前記した実施の形態の説明において、「上」、「下」、「左」、「右」、「前」、「後」といった言葉を使用したが、これらは便宜上であって、画像形成装置を配置する状態における絶対的な位置関係を限定するものではない。
【産業上の利用可能性】
【００７４】
尚、前記した実施の形態では、本願発明を画像読取装置に採用した例を示したが、これに限定されるものではなく、他にもＭＦＰ（Ｍｕｌｔｉ  Ｆｕｎｃｔｉｏｎ  Ｐｒｉｎｔｅｒ）やファクシミリ、複写機等にも利用できる。
【符号の説明】
【００７５】
１  画像形成装置、  １１  画像形成部、  １２  画像読取部、  １３  本体フレーム、  １３Ｌ  左支持部、  １３Ｒ  右支持部、  ２１  フラットベットユニット、  ２２  開閉ユニット、  ２３  操作部、  ３１  原稿押圧基体、  ３２  ＡＤＦ、  ３５  押圧板本体、  ３６  スポンジ材、  ３７  原稿押圧シート、  ３７ａ  原稿押圧部、  ３７ｂ  突出部、  ４１  原稿読み取りセンサ、  ４１ａ  センサ部、  ４１ｃ  ガイド突起、  ４１ｄ  ガイド突起、  ４２  載置台フレーム、  ４２Ｌ  左支持部、  ４２Ｒ  右支持部、  ４３  コンタクトガラス、  ４３ａ  原稿載置面、  ４３ｂ  原稿載置外面、  ４４  支持ガイド、  ４５  第１読み取り開口、  ４６  第２読み取り開口、  ４８  第１用紙センサ、  ４９  第２用紙センサ、  ５１  第１の位置決めガイド、  ５２  第２の位置決めガイド、  ５３  第１の段部、  ５４  第２の段部、  ５５  引込み凹部、  ６０  原稿、  １００  制御部、  １０１  センサ駆動部、  １０３  開閉検出器。
【図１】
2018074324.tif 000003
【図２】
2018074324.tif 000004
【図３】
2018074324.tif 000005
【図４】
2018074324.tif 000006
【図５】
2018074324.tif 000007
【図６】
2018074324.tif 000008
【図７】
2018074324.tif 000009
【図８】
2018074324.tif 000010
【図９】
2018074324.tif 000011
【図１０】
2018074324.tif 000012
【図１１】
2018074324.tif 000013